(57)【要約】【課題】ビスの頭部が固定部材の上側に突出することを確実に回避すると共に、施工コストの増大を抑制しやすい断熱防水構造体を提供する。【解決手段】下地の上側に敷設された断熱材１と、断熱材１の上面に載置され、ビス６によって下地に固定された長尺の固定部材２と、断熱材１及び固定部材２の上側に敷設され、固定部材２に固定された防水シート３と、下地と固定部材２との間において、断熱材１に埋設された支持部材４と、を備え、支持部材４は、断熱材１の厚さ方向に沿って延びる第１板状部４１と、第１板状部４１と交差する方向及び断熱材１の厚さ方向に沿って延びる第２板状部４２と、を有し、ビス６は、固定部材２のうち、平面視において支持部材４が存在しない部位を下地に固定している。【選択図】図１
2020007762.tif 000002
【特許請求の範囲】
【請求項１】
下地の上側に敷設された断熱材と、
前記断熱材の上面に載置され、ビスによって前記下地に固定された長尺の固定部材と、
前記断熱材及び前記固定部材の上側に敷設され、前記固定部材に固定された防水シートと、
前記下地と前記固定部材との間において、前記断熱材に埋設された支持部材と、を備え、
前記支持部材は、前記断熱材の厚さ方向に沿って延びる第１板状部と、前記第１板状部と交差する方向及び前記断熱材の厚さ方向に沿って延びる第２板状部と、を有し、
前記ビスは、前記固定部材のうち、平面視において前記支持部材が存在しない部位を前記下地に固定している断熱防水構造体。
【請求項２】
前記支持部材は、前記第１板状部が前記断熱材の端面に沿う状態で配置されている請求項１に記載の断熱防水構造体。
【請求項３】
平面視において、前記第１板状部の延びる方向と、前記第２板状部の延びる方向と、は直交している請求項１または２に記載の断熱防水構造体。
【請求項４】
平面視での前記固定部材の短手方向において、前記固定部材の長さと、前記支持部材の長さと、は同一である請求項１から３の何れか一項に記載の断熱防水構造体。
【請求項５】
平面視での前記固定部材の短手方向において、前記支持部材の長さは、前記固定部材の長さよりも長い請求項１から３の何れか一項に記載の断熱防水構造体。
【請求項６】
前記断熱材の厚さ方向における前記支持部材の長さは、前記断熱材の厚みよりも短い請求項１から５の何れか一項に記載の断熱防水構造体。
【請求項７】
下地の上側に断熱材を敷設する工程と、
第１板状部と、前記第１板状部と交差する方向に延びる第２板状部と、を有する支持部材を、前記第１板状部及び前記第２板状部が前記断熱材の上面に対して垂直となる状態で、前記断熱材に埋設する工程と、
前記断熱材の上面において、前記支持部材の上方に長尺の固定部材を載置すると共に、前記固定部材のうち、平面視において前記支持部材が存在しない部位をビスによって前記下地に固定する工程と、
前記断熱材及び前記固定部材の上側に防水シートを敷設すると共に、前記防水シートを前記固定部材に固定する工程と、を備える断熱防水工法。
【発明の詳細な説明】
【技術分野】
【０００１】
本発明は、下地の上側に敷設された断熱材と、断熱材の上側に敷設された防水シートと、を備える断熱防水構造体に関する。
【背景技術】
【０００２】
上記のような断熱防水構造体として、例えば、特許文献１に記載のものが既に知られている。この断熱防水構造体においては、固定用ディスクによって、断熱材の上側に防水シートが固定されている。また、固定用ディスクは、固定用ビスによって下地に固定されている。
【先行技術文献】
【特許文献】
【０００３】
【特許文献１】特開２０１４−１５２９号公報
【発明の概要】
【発明が解決しようとする課題】
【０００４】
ここで、断熱防水構造体において、長尺の固定部材が断熱材の上面に載置されると共に、ビスによって下地に固定されている場合がある。この場合、防水シートが、断熱材及び固定部材の上側に敷設されると共に、固定部材に固定される。
【０００５】
このような長尺の固定部材は、断熱材の端部に設けられることが多い。そして、断熱材の端部の近傍では、作業者によって雨仕舞等の作業が行われる。また、長尺の固定部材は、固定用ディスクに比べて、平面視における面積が大きい。従って、長尺の固定部材は、作業者によって踏まれがちである。
【０００６】
作業者が固定部材を踏むと、断熱材が圧縮されることに伴い、固定部材が沈み込む。これにより、ビスの頭部が固定部材の上側に突出する。そして、突出したビスの頭部によって防水シートが破損する可能性がある。
【０００７】
防水シートが破損した場合、破損部分の修復のための作業が必要となる。これにより、作業効率が低下する。
【０００８】
ここで、特許文献１に記載の発明における補強材を利用することが考えられる。即ち、天板部と、天板部に連結された支持脚部と、を有する補強材を、断熱材に埋設し、固定部材と天板部とを貫通するようにビスを打ち込むことが考えられる。
【０００９】
この構成であれば、作業者が固定部材を踏んだ場合であっても、固定部材が補強材によって支持されるため、固定部材が沈み込むことを回避できる。従って、ビスの頭部が固定部材の上側に突出することを回避できる。
【００１０】
しかしながら、この構成では、予め天板部にビス孔が形成されている場合、施工の際に、天板部のビス孔と、固定部材においてビスを貫通させる箇所と、の位置合わせが必要となる。従って、固定部材の構造を、補強材に合わせた専用構造として設計する必要がある。さらに、施工の際の位置合わせのために、比較的多くの労力が必要となる。
【００１１】
また、予め天板部にビス孔が形成されていない場合、施工の際に、天板部にビス孔を形成する必要がある。これにより、施工の際に比較的多くの労力が必要となる。
【００１２】
以上のことから、特許文献１に記載の発明における補強材を利用した場合には、施工コストが増大しがちである。
【００１３】
本発明の目的は、ビスの頭部が固定部材の上側に突出することを確実に回避すると共に、施工コストの増大を抑制しやすい断熱防水構造体を提供することである。
【課題を解決するための手段】
【００１４】
本発明の特徴は、
下地の上側に敷設された断熱材と、
前記断熱材の上面に載置され、ビスによって前記下地に固定された長尺の固定部材と、
前記断熱材及び前記固定部材の上側に敷設され、前記固定部材に固定された防水シートと、
前記下地と前記固定部材との間において、前記断熱材に埋設された支持部材と、を備え、
前記支持部材は、前記断熱材の厚さ方向に沿って延びる第１板状部と、前記第１板状部と交差する方向及び前記断熱材の厚さ方向に沿って延びる第２板状部と、を有し、
前記ビスは、前記固定部材のうち、平面視において前記支持部材が存在しない部位を前記下地に固定していることにある。
【００１５】
本発明であれば、支持部材における第１板状部と第２板状部とは、互いに交差する方向に延びている。そのため、支持部材は、水平方向の力を受けても倒れにくい。従って、作業者が固定部材を踏んだ場合であっても、固定部材は、支持部材によって安定的に支持される。
【００１６】
これにより、固定部材が沈み込むことを確実に回避できる。即ち、本発明であれば、ビスの頭部が固定部材の上側に突出することを確実に回避できる。
【００１７】
しかも、本発明であれば、ビスは、固定部材のうち、平面視において支持部材が存在しない部位を下地に固定している。即ち、ビスを支持部材に貫通させる必要がない。
【００１８】
従って、本発明であれば、支持部材にビス孔を形成する必要がない。また、固定部材においてビスを貫通させる箇所の位置は、平面視において支持部材が存在しない部位であれば、自由に決定することができる。
【００１９】
そのため、固定部材の構造を、支持部材に合わせた専用構造として設計する必要がない。さらに、施工の際に、固定部材においてビスを貫通させる箇所の位置を、支持部材の位置に対して厳密に決定する必要がないため、施工の際に必要な労力は比較的少なくなる。
【００２０】
即ち、本発明であれば、施工コストの増大を抑制しやすい。
【００２１】
以上より、本発明であれば、ビスの頭部が固定部材の上側に突出することを確実に回避すると共に、施工コストの増大を抑制しやすい。
【００２２】
さらに、本発明において、
前記支持部材は、前記第１板状部が前記断熱材の端面に沿う状態で配置されていると好適である。
【００２３】
作業者が固定部材を踏んだ場合、断熱材のうち、断熱材の端面に近い部分が最も大きく圧縮されやすい。
【００２４】
ここで、上記の構成によれば、断熱材のうち、断熱材の端面に近い部分は、第１板状部によって、圧縮されないように確実に保護される。即ち、断熱材のうち、最も大きく圧縮されやすい部分を、圧縮されないように確実に保護することができる。
【００２５】
さらに、本発明において、
平面視において、前記第１板状部の延びる方向と、前記第２板状部の延びる方向と、は直交していると好適である。
【００２６】
第１板状部の延びる方向と、第２板状部の延びる方向と、が直交していない場合、第１板状部または第２板状部に対して垂直な方向の力が作用すると、支持部材が比較的倒れやすい。
【００２７】
ここで、上記の構成によれば、第１板状部に対して垂直な方向の力が作用した場合、その力の方向は、第２板状部の延びる方向と同一である。これにより、第１板状部に対して垂直な方向の力が作用した場合には、支持部材は第２板状部によって支えられるため、倒れにくい。
【００２８】
また、上記の構成によれば、第２板状部に対して垂直な方向の力が作用した場合、その力の方向は、第１板状部の延びる方向と同一である。これにより、第２板状部に対して垂直な方向の力が作用した場合には、支持部材は第１板状部によって支えられるため、倒れにくい。
【００２９】
即ち、上記の構成によれば、支持部材が倒れにくくなる。
【００３０】
さらに、本発明において、
平面視での前記固定部材の短手方向において、前記固定部材の長さと、前記支持部材の長さと、は同一であると好適である。
【００３１】
この構成によれば、固定部材は、短手方向の全長に亘って、支持部材により安定的に支持される。
【００３２】
また、平面視での固定部材の短手方向において、固定部材の長さよりも支持部材の長さの方が長い場合には、固定部材から支持部材がはみ出ることとなる。そして、支持部材において、固定部材からはみ出た部分は、固定部材の支持のためには不要である。即ち、この場合、支持部材に不要な部分が含まれているため、製造コストが必要以上に増大してしまう。
【００３３】
ここで、上記の構成によれば、平面視での固定部材の短手方向において、固定部材から支持部材がはみ出ることはない。従って、製造コストが必要以上に増大してしまう事態を回避することができる。
【００３４】
さらに、本発明において、
平面視での前記固定部材の短手方向において、前記支持部材の長さは、前記固定部材の長さよりも長いと好適である。
【００３５】
この構成によれば、固定部材は、短手方向の全長に亘って、支持部材により安定的に支持される。
【００３６】
また、この構成によれば、平面視において、固定部材から支持部材がはみ出ることとなる。これにより、防水シートの敷設前の段階であれば、固定部材の下側に支持部材が設置されていることを目視で容易に確認することができる。
【００３７】
さらに、本発明において、
前記断熱材の厚さ方向における前記支持部材の長さは、前記断熱材の厚みよりも短いと好適である。
【００３８】
この構成によれば、断熱材の厚さ方向において、固定部材は、断熱材に接することができる。従って、断熱材が、固定部材によって下側に押し付けられる構成を実現できる。これにより、断熱材が水平方向に位置ずれしにくくなる。
【００３９】
本発明に係る断熱防水工法の特徴は、
下地の上側に断熱材を敷設する工程と、
第１板状部と、前記第１板状部と交差する方向に延びる第２板状部と、を有する支持部材を、前記第１板状部及び前記第２板状部が前記断熱材の上面に対して垂直となる状態で、前記断熱材に埋設する工程と、
前記断熱材の上面において、前記支持部材の上方に長尺の固定部材を載置すると共に、前記固定部材のうち、平面視において前記支持部材が存在しない部位をビスによって前記下地に固定する工程と、
前記断熱材及び前記固定部材の上側に防水シートを敷設すると共に、前記防水シートを前記固定部材に固定する工程と、を備えることにある。
【００４０】
本発明であれば、支持部材における第１板状部と第２板状部とは、互いに交差する方向に延びている。そのため、支持部材は、水平方向の力を受けても倒れにくい。従って、作業者が固定部材を踏んだ場合であっても、固定部材は、支持部材によって安定的に支持される。
【００４１】
これにより、固定部材が沈み込むことを確実に回避できる。即ち、本発明であれば、ビスの頭部が固定部材の上側に突出することを確実に回避できる。
【００４２】
しかも、本発明であれば、ビスは、固定部材のうち、平面視において支持部材が存在しない部位を下地に固定している。即ち、ビスを支持部材に貫通させる必要がない。
【００４３】
従って、本発明であれば、支持部材にビス孔を形成する必要がない。また、固定部材においてビスを貫通させる箇所の位置は、平面視において支持部材が存在しない部位であれば、自由に決定することができる。
【００４４】
そのため、固定部材の構造を、支持部材に合わせた専用構造として設計する必要がない。さらに、施工の際に、固定部材においてビスを貫通させる箇所の位置を、支持部材の位置に対して厳密に決定する必要がないため、施工の際に必要な労力は比較的少なくなる。
【００４５】
即ち、本発明であれば、施工コストの増大を抑制しやすい。
【００４６】
以上より、本発明であれば、ビスの頭部が固定部材の上側に突出することを確実に回避すると共に、施工コストの増大を抑制しやすい。
【図面の簡単な説明】
【００４７】
【図１】断熱防水構造体の平面図である。
【図２】図１のＩＩ−ＩＩ断面矢視図である。
【図３】図１のＩＩＩ−ＩＩＩ断面矢視図である。
【図４】断熱防水工法において、下地の上側に複数の断熱材が敷設された状態を示す図である。
【図５】断熱防水工法において、支持部材が断熱材に埋設される様子を示す図である。
【図６】断熱防水工法において、固定部材がビスによって下地に固定される様子を示す図である。
【図７】断熱防水工法において、防水シートが敷設される様子を示す図である。
【図８】その他の実施形態（１）において、支持部材が断熱材に埋設される様子を示す図である。
【図９】その他の実施形態（１）において、支持部材が断熱材に埋設される様子を示す図である。
【図１０】その他の実施形態（２）における断熱材及び支持部材等の構成を示す図である。
【図１１】その他の実施形態（４）における支持部材の構成を示す図である。
【図１２】その他の実施形態（５）における支持部材の構成を示す図である。
【図１３】その他の実施形態（６）における支持部材の構成を示す図である。
【図１４】その他の実施形態（７）における支持部材の構成を示す図である。
【図１５】その他の実施形態（８）における支持部材の構成を示す図である。
【図１６】その他の実施形態（１１）における断熱防水構造体の平面図である。
【図１７】第１別実施形態における断熱防水構造体の縦断面図である。
【発明を実施するための形態】
【００４８】
本発明を実施するための形態について、図面に基づき説明する。尚、以下の説明においては、特に断りがない限り、図２及び図３に示す矢印Ｕの方向を「上」、矢印Ｄの方向を「下」とする。
【００４９】
〔断熱防水構造体の構成〕
図１から図３に示すように、断熱防水構造体Ａは、陸屋根を有する建物の屋上において、側溝Ｓの近傍に設けられている。そして、断熱防水構造体Ａは、断熱材１、長尺の固定部材２、防水シート３、支持部材４を備えている。
【００５０】
断熱材１は、下地５の上側に敷設されている。より具体的には、断熱材１は、下地５の上面に載置された状態で設けられている。
【００５１】
このように、断熱防水構造体Ａは、下地５の上側に敷設された断熱材１を備えている。
【００５２】
固定部材２は、断熱材１の上面に載置されている。また、固定部材２は、ビス６によって下地５に固定されている。
【００５３】
より具体的には、固定部材２は、水平板状部２１、垂れ下がり部２２、折り返し部２３を有している。水平板状部２１は、水平姿勢であり、図１における紙面上下方向に延びている。また、水平板状部２１は、断熱材１の上面に接している。そして、ビス６は、水平板状部２１を貫通している。
【００５４】
また、図２及び図３に示すように、垂れ下がり部２２は、水平板状部２１における側溝Ｓ側の端部から下方に延びる状態で設けられている。そして、折り返し部２３は、垂れ下がり部２２の下端から斜め上方に延びる状態で設けられている。尚、折り返し部２３は、水平板状部２１の下面に向けて延びている。
【００５５】
このように、断熱防水構造体Ａは、断熱材１の上面に載置され、ビス６によって下地５に固定された長尺の固定部材２を備えている。
【００５６】
尚、図１から図３に示すように、本実施形態においては、固定部材２は、断熱材１のうち、側溝Ｓの近傍部分の上面に載置されている。
【００５７】
図２及び図３に示すように、防水シート３は、断熱材１、固定部材２、ビス６を上側から覆う状態で敷設されている。そして、防水シート３は、固定部材２に固定されている。より具体的には、防水シート３の下面が、固定部材２の上面に溶着されている。
【００５８】
このように、断熱防水構造体Ａは、断熱材１及び固定部材２の上側に敷設され、固定部材２に固定された防水シート３を備えている。
【００５９】
図１及び図２に示すように、支持部材４は、下地５と固定部材２との間に位置している。そして、支持部材４は、断熱材１に埋設されている。
【００６０】
このように、断熱防水構造体Ａは、下地５と固定部材２との間において、断熱材１に埋設された支持部材４を備えている。
【００６１】
また、支持部材４は、第１板状部４１と、第２板状部４２と、を有している。図２に示すように、第１板状部４１は、断熱材１の厚さ方向に沿って延びている。また、図１及び図２に示すように、第２板状部４２は、第１板状部４１と交差する方向及び断熱材１の厚さ方向に沿って延びている。より具体的には、図１に示すように、平面視において、第１板状部４１の延びる方向と、第２板状部４２の延びる方向と、は直交している。
【００６２】
このように、支持部材４は、断熱材１の厚さ方向に沿って延びる第１板状部４１と、第１板状部４１と交差する方向及び断熱材１の厚さ方向に沿って延びる第２板状部４２と、を有している。
【００６３】
尚、本実施形態において、第１板状部４１と第２板状部４２とは一体的に形成されている。即ち、第１板状部４１と第２板状部４２とは結合している。また、図１に示すように、本実施形態における支持部材４は、平面視でＴ字状に形成されている。
【００６４】
また、図１及び図２に示すように、第１板状部４１は、断熱材１の端面に沿っている。即ち、支持部材４は、第１板状部４１が断熱材１の端面に沿う状態で配置されている。
【００６５】
図１に示すように、平面視での固定部材２の短手方向における固定部材２の長さは、長さＷ１である。また、平面視での固定部材２の短手方向における支持部材４の長さは、長さＷ２である。そして、長さＷ１と長さＷ２とは同一である。尚、この「同一」には、長さＷ１と長さＷ２とが厳密に一致している状態だけではなく、略等しい状態も含まれる。
【００６６】
このように、平面視での固定部材２の短手方向において、固定部材２の長さＷ１と、支持部材４の長さＷ２と、は同一である。
【００６７】
また、図１に示すように、ビス６は、平面視において支持部材４と重複しない位置に設けられている。即ち、ビス６は、固定部材２のうち、平面視において支持部材４が存在しない部位を下地５に固定している。
【００６８】
〔断熱防水工法について〕
次に、本発明に係る断熱防水工法の実施形態について説明する。
【００６９】
まず、図４に示すように、下地５の上側に複数の断熱材１を敷設する。このとき、敷設された断熱材１同士の間には、溝Ｇが形成されている。尚、本実施形態においては、複数の断熱材１が敷設されているが、本発明はこれに限定されず、１つの断熱材１が敷設されても良い。
【００７０】
このように、本発明に係る断熱防水工法は、下地５の上側に断熱材１を敷設する工程を備えている。
【００７１】
次に、図５に示すように、支持部材４を断熱材１に埋設する。詳述すると、支持部材４における第２板状部４２を溝Ｇに差し込むと共に、支持部材４を下地５の上面に載置する。これにより、第１板状部４１及び第２板状部４２は、断熱材１の上面に対して垂直となる。
【００７２】
このように、本実施形態における断熱防水工法は、第１板状部４１と、第１板状部４１と交差する方向に延びる第２板状部４２と、を有する支持部材４を、第１板状部４１及び第２板状部４２が断熱材１の上面に対して垂直となる状態で、断熱材１に埋設する工程を備えている。
【００７３】
次に、図６に示すように、断熱材１の上面において、支持部材４の上方に長尺の固定部材２を載置する。そして、固定部材２のうち、平面視（図１を参照）において支持部材４が存在しない部位をビス６によって下地５に固定する。このとき、固定部材２を上から押し付けることにより、断熱材１は上下方向に圧縮される。これにより、固定部材２における水平板状部２１の下面が支持部材４に接する状態で、固定部材２が下地５に固定される。
【００７４】
このように、本実施形態における断熱防水工法は、断熱材１の上面において、支持部材４の上方に長尺の固定部材２を載置すると共に、固定部材２のうち、平面視において支持部材４が存在しない部位をビス６によって下地５に固定する工程を備えている。
【００７５】
尚、図５に示すように、断熱材１が上下方向に圧縮されていない状態においては、断熱材１の厚みは、厚みＴ２である。また、断熱材１の厚さ方向における支持部材４の長さは、長さＴ１である。そして、長さＴ１は、厚みＴ２よりも短い。
【００７６】
このように、断熱材１の厚さ方向における支持部材４の長さＴ１は、断熱材１の厚みＴ２よりも短い。
【００７７】
次に、図７に示すように、断熱材１及び固定部材２の上側に防水シート３を敷設する。そして、防水シート３を固定部材２に固定する。より具体的には、防水シート３の下面を、固定部材２の上面に溶着する。
【００７８】
尚、図７においては、固定部材２における垂れ下がり部２２及び折り返し部２３の図示を省略している。
【００７９】
このように、本実施形態における断熱防水工法は、断熱材１及び固定部材２の上側に防水シート３を敷設すると共に、防水シート３を固定部材２に固定する工程を備えている。
【００８０】
以上で説明した構成であれば、支持部材４における第１板状部４１と第２板状部４２とは、互いに交差する方向に延びている。そのため、支持部材４は、水平方向の力を受けても倒れにくい。従って、作業者が固定部材２を踏んだ場合であっても、固定部材２は、支持部材４によって安定的に支持される。
【００８１】
これにより、固定部材２が沈み込むことを確実に回避できる。即ち、以上で説明した構成であれば、ビス６の頭部が固定部材２の上側に突出することを確実に回避できる。
【００８２】
しかも、以上で説明した構成であれば、ビス６は、固定部材２のうち、平面視において支持部材４が存在しない部位を下地５に固定している。即ち、ビス６を支持部材４に貫通させる必要がない。
【００８３】
従って、以上で説明した構成であれば、支持部材４にビス孔を形成する必要がない。また、固定部材２においてビス６を貫通させる箇所の位置は、平面視において支持部材４が存在しない部位であれば、自由に決定することができる。
【００８４】
そのため、固定部材２の構造を、支持部材４に合わせた専用構造として設計する必要がない。さらに、施工の際に、固定部材２においてビス６を貫通させる箇所の位置を、支持部材４の位置に対して厳密に決定する必要がないため、施工の際に必要な労力は比較的少なくなる。
【００８５】
即ち、以上で説明した構成であれば、施工コストの増大を抑制しやすい。
【００８６】
従って、以上で説明した構成であれば、ビス６の頭部が固定部材２の上側に突出することを確実に回避すると共に、施工コストの増大を抑制しやすい。
【００８７】
〔第１別実施形態〕
上記実施形態においては、図２及び図３に示すように、防水シート３が、断熱材１及び固定部材２だけでなく、側溝Ｓ及びパラペットを覆う状態で敷設されている。しかしながら、本発明はこれに限定されない。
【００８８】
以下では、本発明に係る第１別実施形態について、上記実施形態とは異なる点を中心に説明する。以下で説明している部分以外の構成は、上記実施形態と同様である。また、上記実施形態と同様の構成については、同じ符号を付している。
【００８９】
図１７は、本発明に係る第１別実施形態における断熱防水構造体Ａの縦断面図である。この第１別実施形態において、防水シート３は、断熱材１及び固定部材２を覆っている。しかしながら、防水シート３は、側溝Ｓ及びパラペットを覆ってはいない。
【００９０】
この第１別実施形態におけるパラペットは、上記実施形態におけるパラペットよりも低い。尚、図１７に示すように、この第１別実施形態における建物は、パラペットの上端が下地５の上端よりも低くなるように設計されている。
【００９１】
そして、この第１別実施形態においては、膜状の防水材９が設けられている。図１７に示すように、防水材９は、側溝Ｓを構成する各壁面と、パラペットと、を覆う状態で設けられている。尚、防水材９は、例えばウレタン防水によって設けることができる。
【００９２】
また、この第１別実施形態においては、テープ材１０及び押さえ金物１１が設けられている。
【００９３】
テープ材１０は、防水材９において、固定部材２の垂れ下がり部２２により覆われる部分の表面に貼り付けられている。尚、テープ材１０は、例えばブチルテープにより構成されていても良い。
【００９４】
また、押さえ金物１１は、水平部１１ａ、鉛直部１１ｂ、延出部１１ｃを有している。鉛直部１１ｂは、固定部材２の垂れ下がり部２２に沿った板状である。そして、鉛直部１１ｂは、垂れ下がり部２２とテープ材１０との間に位置していると共に、テープ材１０の表面に接着されている。
【００９５】
水平部１１ａは、水平姿勢の板状であり、鉛直部１１ｂの上端に接続している。また、水平部１１ａは、断熱材１と下地５との間に挟み込まれている。
【００９６】
延出部１１ｃは、板状であり、鉛直部１１ｂの下端から斜め下方に延びる状態で設けられている。延出部１１ｃの延びる方向は、固定部材２の折り返し部２３に沿っている。そして、延出部１１ｃの下面と、折り返し部２３の上面と、が接触している。
【００９７】
テープ材１０及び押さえ金物１１により、折り返し部２３と防水材９との間を通って風雨等が吹き込むことを防止できる。
【００９８】
また、押さえ金物１１の延出部１１ｃにより、固定部材２における垂れ下がり部２２及び折り返し部２３の変位が規制される。これにより、複数の固定部材２が長手方向に並んだ状態で設けられる場合には、各固定部材２における垂れ下がり部２２及び折り返し部２３の位置が均一になりやすい。
【００９９】
尚、以上に記載した各実施形態は一例に過ぎないのであり、本発明はこれに限定されるものではなく、適宜変更が可能である。
【０１００】
〔その他の実施形態〕
（１）上記実施形態においては、敷設された断熱材１同士の間に溝Ｇが形成されている。しかしながら、本発明はこれに限定されず、溝Ｇが形成されていなくても良い。この場合、図８及び図９に示すように、支持部材４における第２板状部４２の下端面を断熱材１の上面に押し付けることによって、断熱材１に切れ目Ｋを形成しながら、支持部材４を設置しても良い。また、支持部材４における第２板状部４２を、断熱材１の側方から押し付けることによって、断熱材１の側面から切れ目Ｋを形成させても良い。このような方法によっても、支持部材４を断熱材１に埋設することができる。尚、第２板状部４２のうち、断熱材１に押し付ける面の表面積が小さいほど、断熱材１に切れ目Ｋを形成しやすくなる。
【０１０１】
（２）図１０に示すように、敷設された断熱材１同士の間に形成される溝Ｇが、格子状であっても良い。この場合、支持部材４における第１板状部４１及び第２板状部４２を溝Ｇに差し込んだ状態で、支持部材４を設置できる。尚、図１０に示す固定部材２は、垂れ下がり部２２及び折り返し部２３を有していない。
【０１０２】
（３）断熱防水構造体Ａは、陸屋根を有する建物の屋上において、平場の外縁部に設けられていても良いし、平場の中央部に設けられていても良い。また、切妻屋根を有する建物のケラバの近傍に設けられていても良い。
【０１０３】
（４）図１１に示すように、支持部材４は、平面視でＬ字状に形成されていても良い。
【０１０４】
（５）図１２に示すように、平面視において、第１板状部４１の延びる方向と、第２板状部４２の延びる方向と、は直交していなくても良い。また、図１２において、第１板状部４１は断熱材１の端面に沿っていない。即ち、支持部材４は、第１板状部４１が断熱材１の端面に沿わない状態で配置されていても良い。
【０１０５】
（６）図１３に示すように、支持部材４は、平面視でＸ字状に形成されていても良い。
【０１０６】
（７）図１４に示すように、支持部材４は、第１板状部４１、第２板状部４２、第３板状部４３、第４板状部４４、第５板状部４５を有していても良い。この場合、図１４に示すように、平面視において、第１板状部４１、第２板状部４２、第３板状部４３、第４板状部４４、第５板状部４５がそれぞれ放射状に延びていても良い。
【０１０７】
（８）図１５に示すように、第１板状部４１と第２板状部４２とが離間していても良い。
【０１０８】
（９）固定部材２における水平板状部２１の下面が支持部材４に接しない状態で、固定部材２が下地５に固定されていても良い。この場合、固定部材２がビス６によって下地５に固定され、固定部材２により断熱材１が圧縮された状態において、圧縮された断熱材１の厚みＴ２よりも、断熱材１の厚さ方向における支持部材４の長さＴ１の方が短くても良い。
【０１０９】
（１０）断熱材１の厚さ方向における支持部材４の長さＴ１は、断熱材１の厚みＴ２と同じであっても良いし、断熱材１の厚みＴ２よりも長くても良い。
【０１１０】
（１１）平面視での固定部材２の短手方向において、固定部材２の長さは、支持部材４の長さより長くても良いし、短くても良い。
【０１１１】
例えば、図１６に示す断熱防水構造体Ａにおいては、上記実施形態における支持部材４の代わりに、支持部材７が備えられている。支持部材７は、第１板状部７１と、第２板状部７２と、を有している。そして、支持部材７は、上記実施形態における支持部材４と同様に、平面視でＴ字状に形成されている。
【０１１２】
ここで、図１６に示すように、平面視での固定部材２の短手方向における固定部材２の長さは、長さＷ１である。また、平面視での固定部材２の短手方向における支持部材７の長さは、長さＷ３である。そして、長さＷ３は、長さＷ１よりも長い。
【０１１３】
これにより、平面視において、固定部材２から支持部材７がはみ出ることとなる。これにより、防水シート３の敷設前の段階であれば、固定部材２の下側に支持部材７が設置されていることを目視で容易に確認することができる。
【０１１４】
このように、平面視での固定部材２の短手方向において、支持部材７の長さＷ３は、固定部材２の長さＷ１よりも長い。
【０１１５】
（１２）上記実施形態においては、固定部材２と支持部材４とが別体である。しかしながら、本発明はこれに限定されず、固定部材２と支持部材４とは一体形成されていても良い。
【産業上の利用可能性】
【０１１６】
本発明は、陸屋根だけではなく、傾斜屋根や壁にも利用することができる。
【符号の説明】
【０１１７】
１        断熱材
２        固定部材
３        防水シート
４、７    支持部材
５        下地
６        ビス
４１      第１板状部
４２      第２板状部
Ａ        断熱防水構造体
【図１】
2020007762.tif 000003
【図２】
2020007762.tif 000004
【図３】
2020007762.tif 000005
【図４】
2020007762.tif 000006
【図５】
2020007762.tif 000007
【図６】
2020007762.tif 000008
【図７】
2020007762.tif 000009
【図８】
2020007762.tif 000010
【図９】
2020007762.tif 000011
【図１０】
2020007762.tif 000012
【図１１】
2020007762.tif 000013
【図１２】
2020007762.tif 000014
【図１３】
2020007762.tif 000015
【図１４】
2020007762.tif 000016
【図１５】
2020007762.tif 000017
【図１６】
2020007762.tif 000018
【図１７】
2020007762.tif 000019